(57)【要約】【課題】人に安心感を与えることができる、箸その他の食器を提供する。【解決手段】箸１は、素地が木あるいは竹からなる。そして、箸１は、その箸本体２に、仕上げ材３として漆Ｕが塗られ、その仕上げ材３に対する下地材４としてセラックＳが塗られている。こうして、人の口に触れたり、食べ物に触れたりして、食事に使われる箸１に、自然の材料であるセラックＳを用いることで、人が安心してその箸１を使用することができる。セラックＳは、前記漆Ｕに代わる仕上げ材３としても用いることができる。【選択図】　図２
2004016368.tif 000002
【特許請求の範囲】
【請求項１】
素地が木あるいは竹からなる、箸、椀、その他の食器であって、
その食器の食器本体に、セラックが付着してなる食器。
【請求項２】
前記食器本体にセラックが塗られることで、前記食器本体に前記セラックが付着していることを特徴とする請求項１に記載の食器。
【請求項３】
前記食器本体に、仕上げ材としてセラックが塗られ、かつ、下地材としてセラックが塗られることで、前記食器本体に前記セラックが付着していることを特徴とする請求項１に記載の食器。
【請求項４】
前記食器本体に、仕上げ材として漆または蜜ろうが塗られ、そして、下地材としてセラックが塗られることで、前記食器本体に前記セラックが付着していることを特徴とする請求項１に記載の食器。
【請求項５】
前記食器本体に、仕上げ材として、少なくとも人の口または食べ物に触れる部分を除いて、合成樹脂が塗られ、そして、下地材としてセラックが塗られることで、前記食器本体に前記セラックが付着していることを特徴とする請求項１に記載の食器。
【請求項６】
前記セラックは、少なくともセラック粉末からなることを特徴とする請求項１に記載の食器。
【請求項７】
前記セラック粉末の粉固めとしてセラックが塗られることで、前記食器本体に、前記セラック粉末と前記粉固め用のセラックとが付着していることを特徴とする請求項６に記載の食器。
【請求項８】
前記食器本体に金属粉末等の粉末が付着し、その粉末の粉固めとしてセラックが塗られることで、前記食器本体に前記セラックが付着していることを特徴とする請求項１に記載の食器。
【請求項９】
前記仕上げ材あるいは前記下地材として塗られる前記セラックの少なくともいずれか一方には天然の着色材が混合されていることを特徴とする請求項３に記載の食器。
【請求項１０】
前記食器本体に塗られる、前記セラックには、リン酸が混合されていることを特徴とする、請求項２ないし５のいずれか１項、または、請求項７ないし９のいずれか１項に記載の食器。
【発明の詳細な説明】
【０００１】
【発明の属する技術分野】
この発明は、素地が木あるいは竹からなる、箸、椀、その他の食器に関するものである。
【０００２】
【従来の技術および発明が解決しようとする課題】
従来、素地が木あるいは竹からなる食器としての、例えば箸において、漆、みつろう等の仕上げ材に対する下地材として、ウレタン樹脂、エポキシ樹脂あるいはラッカー等の合成樹脂塗料が用いられていた。しかし、人の口に触れる部分には、この下地材を含めて、人が安心して使えるものが好ましく、その代替材料の開発が望まれた。
【０００３】
この発明は、上記した従来の欠点を解決するためになされたものであり、その目的とするところは、人に安心感を与えることができる食器を提供することにある。
【０００４】
【課題を解決するための手段】
この発明に係る食器は、前記目的を達成するために、次の構成からなる。すなわち、
請求項１に記載の発明に係る食器は、素地が木あるいは竹からなる、箸、椀、その他の食器であって、その食器の食器本体に、セラックが付着してなる。こうして、食器の食器本体に付着する材料として、セラック、すなわちラック介殻虫の分泌物が用いられる。このように、人の口に触れたり、あるいは食べ物が入れられたり等、食事に使われる食器に、自然の材料であるセラックを用いることで、人が安心してその食器を使用することができる。
【０００５】
また、請求項２に記載の発明に係る食器のように、請求項１に記載の食器において、前記食器本体にセラックが塗られることで、前記食器本体に前記セラックが付着してもよい。こうして、食器本体に塗られたセラックによって、この食器は、その素地が目止めされたり塗装されたりする。
【０００６】
また、請求項３に記載の発明に係る食器のように、請求項１に記載の食器において、前記食器本体に、仕上げ材としてセラックが塗られ、かつ、下地材としてセラックが塗られることで、前記食器本体に前記セラックが付着してもよい。こうして、食器本体に塗る、仕上げ材およびその下地材にセラックが用いられることで、この食器は、素地、すなわち木あるいは竹の質感が保持される。
【０００７】
また、請求項４に記載の発明に係る食器のように、請求項１に記載の食器において、前記食器本体に、仕上げ材として漆または蜜ろうが塗られ、そして、下地材としてセラックが塗られることで、前記食器本体に前記セラックが付着してもよい。こうして、食器本体に塗る仕上げ材としての漆または蜜ろうに対して、下地材としてセラックが用いられることで、素地と漆または蜜ろうとの間にセラックが介在し、その漆または蜜ろうの色が濃く表れなくなる。このように、漆または蜜ろうの色が抑えられることで、この食器は、素地、すなわち木や竹の質感が保持される。
【０００８】
また、請求項５に記載の発明に係る食器のように、請求項１に記載の食器において、前記食器本体に、仕上げ材として、少なくとも人の口または食べ物に触れる部分を除いて、合成樹脂が塗られ、そして、下地材としてセラックが塗られることで、前記食器本体に前記セラックが付着してもよい。こうして、仕上げ材として、少なくとも人の口または食べ物に触れる部分を除いて、合成樹脂が塗られることで、この食器は、装飾され、あるいは保護される。
【０００９】
また、請求項６に記載の発明に係る食器のように、請求項１に記載の食器において、前記セラックは、少なくともセラック粉末からなっていてもよい。すなわち、食器本体にセラック粉末が付着していてもよい。このセラック粉末によって、例えば、滑り止めの効果が期待できる。つまり、食器の、手で持つ部分に、セラック粉末を付着させることで、食器を確実に持つことができる。また、箸等においては、食べ物を掴む部分に、セラック粉末を付着させることで、その食べ物を確実に掴むことができる。
【００１０】
また、請求項７に記載の発明に係る食器のように、請求項６に記載の食器において、前記セラック粉末の粉固めとしてセラックが塗られることで、前記食器本体に、前記セラック粉末と前記粉固め用のセラックとが付着してもよい。これにより、セラック粉末が、粉固めとして用いられるセラックによって食器本体に確実に保持される。
【００１１】
また、請求項８に記載の発明に係る食器のように、請求項１に記載の食器において、前記食器本体に金属粉末等の粉末が付着し、その粉末の粉固めとしてセラックが塗られることで、前記食器本体に前記セラックが付着してもよい。これにより、この金属粉末等の粉末によって、例えば、滑り止めの効果が期待できる。つまり、食器の、手で持つ部分に、この粉末を付着させることで、食器を確実に持つことができる。さらに、この金属粉末等の粉末を、装飾として用いることもできる。そして、この粉末が、粉固めとして用いられるセラックによって食器本体に確実に保持される。しかも、この粉末を、装飾として用いた場合であっても、粉固めにセラックが用いられることから、粉末の色合いが消されることはない。
【００１２】
また、請求項９に記載の発明に係る食器のように、請求項３に記載の食器において、前記仕上げ材あるいは前記下地材として塗られる前記セラックの少なくともいずれか一方には天然の着色材が混合されてもよい。このように、仕上げ材あるいは下地材として用いられるセラックに、天然の着色材を混合することで、この食器に色を付けることができる。また、天然の着色材であるので、人が安心してその食器を使用することができる。
【００１３】
また、請求項１０に記載の発明に係る食器のように、請求項２ないし５のいずれか１項、または、請求項７ないし９のいずれか１項に記載の食器において、前記食器本体に塗られる、前記セラックには、リン酸が混合されてもよい。こうして、セラックにリン酸を混合することで、食器本体にセラックを付着させた後の、セラックの硬化が速まるので、この食器の乾燥時間が短縮される。
【００１４】
【発明の実施の形態】
以下、この発明に係る食器の実施の形態を図面に基づいて説明する。
【００１５】
図１および図２は、本発明に係る、箸、椀、その他の食器を、箸に適用した第一の実施の形態を示す。図中符号１は、箸であって、素地が木あるいは竹からなる。この箸１は、食器本体としての箸本体２に、セラックＳ（詳細には白ラック）が付着している。
【００１６】
具体的には、箸１は、その箸本体２のほぼ全体に、仕上げ材３として漆Ｕが塗られ、その仕上げ材３に対する下地材４としてセラックＳが塗られている。こうして、この箸１は、下地材４としてセラックＳが塗られることで、箸本体２にセラックＳが付着することとなる。ここで、下地材４としてのセラックＳは、セラック固形分をエタノールで、好ましくは１対１程度の割合（この割合に限定されないことは勿論である。）で溶かし、さらに、硬化促進剤としてリン酸を混合した、セラック溶液からなる。このとき、セラック固形分に対するリン酸の重量比は、２〜３％程度が望ましい。すなわち、セラック固形分に対するリン酸の重量比が、２％を大きく下回ると、セラック溶液の硬化がそれほど促進されず、また、３％を大きく越えると、セラック溶液が、ゲル化して使用不能となる虞がある。そして、このセラック溶液が、箸本体２に塗られることとなる。このとき、セラック溶液、すなわちセラックＳは、箸本体２に、ドブ漬けの後に拭い取る手法によって塗られてもよく、また、刷毛塗り等により塗られてもよく、あるいは、すり込みによって塗られてもよい。そして、その後に、仕上げ材３として、漆Ｕが適宜回数塗られる。
【００１７】
この第一の実施の形態に示す箸１によると、箸本体２に付着する材料として、ラック介殻虫の分泌物であるセラックＳが用いられる。このように、人の口に触れたり、食べ物に触れたりして、食事に使われる箸１に、自然の材料であるセラックＳを用いることで、人に安心感を与えることができ、人が安心してその箸１を使用することができる。
【００１８】
また、このとき、箸本体２に塗る仕上げ材３としての漆Ｕに対して、下地材４としてセラックＳが用いられることで、素地（箸本体２）と漆Ｕとの間にセラックＳが介在し、その漆Ｕの色が濃く表れなくなる。このように、漆Ｕの色が抑えられることで、この箸１は、素地、すなわち木や竹の質感が保持される。そして、下地材４として用いられるセラックＳにおいては、そのセラックＳが、箸本体２に塗られることで、この箸１は、その素地が目止めされたり塗装されたりする。さらに、このセラックＳにリン酸を混合することで、箸本体２にセラックＳを塗った後の、セラックＳの硬化が速まるので、この箸１の乾燥時間が短縮され、この箸１の製造コストを下げることができる。
【００１９】
図３は、本発明に係る、箸、椀、その他の食器を、箸に適用した第二の実施の形態を示す。図中符号１１は、箸であって、前述の箸１と同様に、素地が木あるいは竹からなり、食器本体としての箸本体１２に、セラックＳ（詳細には白ラック）が付着している。
【００２０】
具体的には、前記セラックＳは、少なくともセラック粉末ＳＰからなる。すなわち、箸本体１２にセラック粉末ＳＰが付着している。詳細には、箸１１における先端部分、すなわち箸本体１２の箸先部に、セラック粉末ＳＰが付着している。そして、このセラック粉末ＳＰの粉固めとしてセラックＳＦが塗られ、こうして、箸本体２に、セラック粉末ＳＰと粉固め用のセラックＳＦとが付着することとなる。なお、この粉固め用のセラックＳＦとしては、第一の実施の形態に示すセラックＳと同様に、リン酸が混合されたセラック溶液を使用するのが望ましい。また、この箸本体１２に、セラック粉末ＳＰを付着させる前には、箸本体１２のほぼ全体に、予め、セラックとか漆とか蜜ろう等が、ドブ漬け、すり込み、刷毛塗りその他の手法で、塗られていてもよい。
【００２１】
この第二の実施の形態に示す箸１１によると、第一の実施の形態と同様に、人の口に触れたり、食べ物に触れたりして、食事に使われる箸１１に、ラック介殻虫の分泌物、すなわち自然の材料であるセラックＳを用いることで、人に安心感を与えることができ、人が安心してその箸１１を使用することができる。
【００２２】
そして、箸本体１２に付着したセラック粉末ＳＰによって、例えば、滑り止めの効果が期待できる。つまり、箸１１における先端部分、すなわち食べ物を掴む部分に、セラック粉末ＳＰを付着させることで、その食べ物を確実に掴むことができる。また、図示しないが、箸１１の、手で持つ部分に、セラック粉末ＳＰを付着させれば、箸１１を確実に持つことができる。
【００２３】
さらに、セラック粉末ＳＰの粉固めとしてセラックＳＦが塗られており、この粉固めとして用いられるセラックＳＦによって、セラック粉末ＳＰは、箸本体１２に確実に保持される。そして、この粉固め用のセラックＳＦにリン酸を混合することで、箸本体１２にセラックＳＦを塗った後の、セラックＳＦの硬化が速まるので、この箸１１の乾燥時間が短縮され、この箸１１の製造コストを下げることができる。
【００２４】
図４は、本発明に係る、箸、椀、その他の食器を、箸に適用した第三の実施の形態を示す。図中符号２１は、箸であって、前述の箸１、１１と同様に、素地が木あるいは竹からなり、食器本体としての箸本体２２に、セラックＳ（詳細には白ラック）が付着している。
【００２５】
具体的には、箸本体２２に、金属粉末等の粉末、例えばアルミニウムの粉末Ｐが付着し、その粉末Ｐの粉固めとしてセラックＳＦが塗られることで、箸本体２２に前記セラックＳが付着することとなる。詳細には、箸２１における、上下の中間部分に、粉末Ｐが付着している。なお、この粉固め用のセラックＳＦとしては、第一の実施の形態に示すセラックＳと同様に、リン酸が混合されたセラック溶液を使用するのが望ましい。また、この箸本体２２に、粉末Ｐを付着させるにあたって、箸本体２２のほぼ全体に、予め、セラックとか漆とか蜜ろう等が、ドブ漬け、すり込み、刷毛塗りその他の手法で、塗られていてもよい。
【００２６】
この第三の実施の形態に示す箸２１によると、第一の実施の形態と同様に、人の口に触れたり、食べ物に触れたりして、食事に使われる箸２１に、ラック介殻虫の分泌物、すなわち自然の材料であるセラックＳＦを用いることで、人に安心感を与えることができ、人が安心してその箸２１を使用することができる。
【００２７】
そして、箸本体２２に付着した金属粉末等の粉末Ｐによって、例えば、滑り止めの効果が期待できる。つまり、箸２１の、例えば手で持つ部分に、この粉末Ｐを付着させることで、箸２１を確実に持つことができる。さらに、この金属粉末等の粉末Ｐを、装飾として用いることもできる。さらに、この粉末Ｐが、粉固めとして用いられるセラックＳＦによって箸本体２２に確実に保持される。しかも、この粉末Ｐを、装飾として用いた場合であっても、粉固めにセラックＳＦが用いられることから、粉末Ｐの色合いが消されることはない。そして、この粉固め用のセラックＳＦにリン酸を混合することで、箸本体２２にセラックＳＦを塗った後の、セラックＳＦの硬化が速まるので、この箸２１の乾燥時間が短縮され、この箸２１の製造コストを下げることができる。
【００２８】
なお、本発明は、上述した実施の形態に限定されるわけではなく、その他種々の変更が可能である。例えば、第一の実施の形態において、仕上げ材３として漆Ｕを用いているが、その漆Ｕの替わりに、その他の天然塗料、例えば蜜ろうを用いてもよい。そして、この仕上げ材３としての蜜ろうに対して、下地材４としてセラックＳが用いられることで、素地（箸本体２）と蜜ろうとの間にセラックＳが介在し、その蜜ろうの色が濃く表れなくなる。このように、蜜ろうの色が抑えられることで、この箸１は、素地、すなわち木や竹の質感が保持される。
【００２９】
また、第一の実施の形態における仕上げ材３としての漆Ｕの替わりに、セラックＳを用いてもよい。すなわち、箸本体２に、仕上げ材３としてセラックＳが塗られ、かつ、その仕上げ材３に対する下地材４としてセラックＳが塗られることで、箸本体２にセラックＳが付着してもよい。このように、箸本体２に塗る、仕上げ材３およびその下地材４にセラックＳが用いられることで、この箸１は、素地、すなわち木あるいは竹の質感か保持される。もっとも、この仕上げ材３あるいは下地材４として塗られるセラックＳの少なくともいずれか一方には、天然の着色材（例えば、藍）が混合されてもよい。こうして、天然の着色材によって、この箸１に色を付けることができ、また、天然の着色材であるので、この箸１を、人が安心して使用することができる。
【００３０】
また、箸本体２の箸先部（すなわち、人の口または食べ物に触れる部分）を除く適宜部分には、仕上げ材３としての合成樹脂塗料が、下地材４としてのセラックＳの上に塗布されてもよい（下地材４としてのセラックＳは、箸本体２の全体に塗られてもよく、また、仕上げ材３が塗られる部分に対応して塗られてもよい。）。こうして、仕上げ材として、少なくとも箸先部を除いて、合成樹脂が塗られることで、この箸は、装飾され、あるいは保護される。
【００３１】
また、箸本体２に下地材４および仕上げ材３が塗られなくとも、例えば、目止め用に、セラックＳが塗り込まれるのみであってもよい。また、箸本体２に、仕上げ材３としてセラックＳが塗られ、その仕上げ材３に対する下地材４として漆Ｕ等が塗られてもよい。
【００３２】
また、第一の実施の形態において、箸本体２の一部、例えば、箸先部のみにおいて、下地材４としてのセラックＳが塗られても構わない。
【００３３】
また、第三の実施の形態において、箸本体２２に付着させる粉末Ｐは、アルミニウムの粉末でなくとも、金や銀等の金属粉末であってもよく、さらには、金属粉末以外に、緑、赤、青等の、着色された粉末であってもよい。また、この粉末Ｐは、箸２１における、上下の中間部分に付着しなくとも、上部部分あるいは下部部分（先端部分）に付着してもよい。
【００３４】
また、食器は、箸１、１１、２１でなくとも、素地が木あるいは竹からなる、スプーンやフォーク等であってもよく、さらには、食べ物が入れられる、椀や皿等の器であってもよい。
【００３５】
【発明の効果】
以上、詳述したところから明らかなように、この発明に係る食器によれば、次の効果がある。
【００３６】
請求項１に記載された食器によれば、人の口に触れたり、あるいは食べ物が入れられたり等、食事に使われる食器に、自然の材料であるセラックを用いることで、人に安心感を与えることができる
【００３７】
また、請求項２に記載された食器によれば、加えて、セラックが、食器本体に塗られたセラックによって、この食器を、その素地の目止めをしたり塗装したりすることができる。
【００３８】
また、請求項３に記載された食器によれば、加えて、仕上げ材およびその下地材にセラックを用いることで、この食器の素地の質感を保持することができる。
【００３９】
また、請求項４に記載された食器によれば、加えて、素地と漆または蜜ろうとの間にセラックを介在させることで、漆または蜜ろうの色が濃く表れるのを抑えることができ、この食器の素地の質感を保持することができる。
【００４０】
また、請求項５に記載された食器によれば、加えて、仕上げ材として、少なくとも人の口または食べ物に触れる部分を除いて、合成樹脂が塗られることで、この食器を、装飾したり、あるいは保護したりすることができる。
【００４１】
また、請求項６に記載された食器によれば、加えて、セラック粉末によって、食器を確実に持ったり、あるいは、食べ物を確実に掴んだりすることができる。
【００４２】
また、請求項７に記載された食器によれば、加えて、粉固めとして用いられるセラックによって、セラック粉末を食器本体に確実に保持することができる。
【００４３】
また、請求項８に記載された食器によれば、加えて、金属粉末等の粉末によって、食器を確実に持つことができたり、あるいは、装飾の効果が期待できる。
【００４４】
また、請求項９に記載された食器によれば、加えて、仕上げ材あるいは下地材として用いられるセラックに、天然の着色材を混合することで、この食器に色を付けることができる。
【００４５】
また、請求項１０に記載された食器によれば、加えて、セラックにリン酸を混合することで、この食器の乾燥時間を短縮することができ、製造コストを下げることができる。
【図面の簡単な説明】
【図１】この発明に係る食器の第一の実施の形態の、斜視図である。
【図２】同じく、拡大横断面図である。
【図３】この発明に係る食器の第二の実施の形態の、斜視図である。
【図４】この発明に係る食器の第三の実施の形態の、斜視図である。
【符号の説明】
１　箸（食器）　　　　　　　　　　２　箸本体（食器本体）
３　仕上げ材　　　　　　　　　　　４　下地材
１１　箸（食器）　　　　　　　　　１２　箸本体（食器本体）
２１　箸（食器）　　　　　　　　　２２　箸本体（食器本体）
Ｕ　漆　　　　　　　　　　　　　　Ｓ　セラック
ＳＰ　セラック粉末（セラック）　　ＳＦ　セラック
Ｐ　粉末
【図１】
2004016368.tif 000003
【図２】
2004016368.tif 000004
【図３】
2004016368.tif 000005
【図４】
2004016368.tif 000006